【手続補正書】
【提出日】平成15年8月6日(2003.8.6)
【手続補正１】
【補正対象書類名】明細書
【補正対象項目名】発明の名称
【補正方法】変更
【補正の内容】
【発明の名称】防振機能を有したズームレンズ及びそれを有するテレビカメラ


【手続補正２】
【補正対象書類名】明細書
【補正対象項目名】特許請求の範囲
【補正方法】変更
【補正の内容】
【特許請求の範囲】
【請求項１】
物体側より順に変倍の際に固定の正の屈折力の第１群、変倍用の負の屈折力の第２群、変倍に伴う像面変動を補正する正の屈折力の第３群、そして変倍の際に固定の正の屈折力の第４群を有するズームレンズであって、前記第４群を構成する一部のレンズ群より成る負の屈折力の第４Ｓ群を光軸と略垂直な平面内を移動させて前記ズームレンズが振動したときの撮影画像のブレを補正することを特徴とする防振機能を有したズームレンズ。
【請求項２】
前記第４Ｓ群は、１枚の負レンズと１枚の正レンズを有し、前記第４Ｓ群を構成する最も物体側のレンズ面への入射換算傾角をα、前記第４Ｓ群を構成する最も像側のレンズ面からの射出換算傾角をα′、前記第４Ｓ群を構成する負レンズの材質の平均アッべ数をνｎ（４Ｓ）、前記第４Ｓ群を構成する正レンズの材質の平均アッベ数をνｐ（４Ｓ）としたとき、
α′−α＜−０．４５
νｎ（４Ｓ）−νｐ（４Ｓ）＞１０
なる条件式を満たすことを特徴とする請求項１に記載の防振機能を有したズームレンズ。
【請求項３】
前記第４群は物体側より順に前記第４Ｓ群を含む負の屈折力の第４Ｆ群と正の屈折力の第４Ｒ群とを有し、前記第４Ｒ群を構成する正レンズの材質のアッベ数の平均をνｐ（４Ｒ）、負レンズの材質のアッベ数の平均値をνｎ（４Ｒ）としたとき、
νｐ（４Ｒ）−νｎ（４Ｒ）＞１０
なる条件式を満たすことを特徴とする請求項１又は２に記載の防振機能を有したズームレンズ。
【請求項４】
前記第２群は変倍の際に結像倍率が−１倍を含む領域内で変化し、その横倍率の変化をＺ２、前記第３群は変倍の際に結像倍率が−１倍を含む領域内で変化し、ズーム比をＺとしたとき
５＜Ｚ２
０．１５＜Ｚ２／Ｚ
なる条件式を満たすことを特徴とする請求項１記載の防振機能を有したズームレンズ。
【請求項５】
全系の焦点距離を変化させる第４Ｅ群を第４Ｓ群より像面側に挿脱可能に配置していることを特徴とする請求項１記載の防振機能を有したズームレンズ。
【請求項６】
物体側より順に変倍の際に固定の正の屈折力の第１群、変倍用の負の屈折力の第２群、変倍に伴う像面変動を補正する第３群、そして変倍の際に固定の正の屈折力の第４群を有するズームレンズであって、該第４群は負の屈折力の第４Ｆ群と正の屈折力の第４Ｒ群を有し、該第４Ｆ群は負レンズと正レンズの２つのレンズ又は負レンズと正レンズ、そして負レンズの３つのレンズより成り、該第４Ｆ群を光軸と垂直方向に移動させて、ズームレンズが振動したときの撮影画像のブレを補正していることを特徴とする防振機能を有したズームレンズ。
【請求項７】
前記第４Ｆ群を構成する最も物体側のレンズ面への入射換算傾角をα、前記第４Ｆ群を構成する最も像側のレンズ面からの出射換算傾角をα′、前記第４Ｆ群を構成する負レンズの材質のアッベ数の平均値をνｎ（４Ｓ）、前記第４Ｆ群を構成する正レンズの材質のアッベ数をνｐ（４Ｓ）、前記第４Ｒ群を構成する正レンズの材質のアッベ数の平均をνｐ（４Ｒ）、負レンズの材質のアッベ数の平均値をνｎ（４Ｒ）としたとき、
α′−α＜−０．４５
νｎ（４Ｓ）−νｐ（４Ｓ）＞１０
νｐ（４Ｒ）−νｎ（４Ｒ）＞１０
なる条件式を満たすことを特徴とする請求項６記載の防振機能を有したズームレンズ。
【請求項８】
請求項１〜７のいづれか一項記載のズームレンズを備えたテレビカメラ。
【手続補正３】
【補正対象書類名】明細書
【補正対象項目名】０００１
【補正方法】変更
【補正の内容】
【０００１】
【発明の属する技術分野】
本発明は、防振機能を有したズームレンズ及びそれを有するテレビカメラに関し、レンズ系中の一部のレンズ群と垂直方向に移動させることにより、ズームレンズが振動したときの画像ブレを補正して静止画像を得るとき、全系の屈折力配置及び変倍移動群の配置等の構成を適切に規定することにより、全変倍範囲にわたり、特に防振時も良好なる光学性能を有した、テレビカメラや写真用カメラ、そしてビデオカメラ等に好適な防振機能を有したズームレンズに関するものである。


【手続補正４】
【補正対象書類名】明細書
【補正対象項目名】００１９
【補正方法】変更
【補正の内容】
【００１９】
本発明は、光学系の一部のレンズ群を光軸と垂直な方向に偏心駆動させて撮影画像のブレを補正する際、各レンズ要素を適切に配置することによって、特に防振レンズ群の小型化を可能とし、各種の収差及び偏心収差を良好に補正した、いわゆる４群ズームレンズに好適な防振機能を有したズームレンズ及びそれを有するテレビカメラの提供を目的とする。


【手続補正５】
【補正対象書類名】明細書
【補正対象項目名】００２０
【補正方法】変更
【補正の内容】
【００２０】
【課題を解決するための手段】
請求項１の発明の防振機能を有したズームレンズは、物体側より順に変倍の際に固定の正の屈折力の第１群、変倍用の負の屈折力の第２群、変倍に伴う像面変動を補正する正の屈折力の第３群、そして変倍時に固定の正の屈折力の第４群を有するズームレンズであって、前記第４群を構成する一部のレンズ群より成る負の屈折力の第４Ｓ群を光軸と略垂直な平面内を移動させて前記ズームレンズが振動したときの撮影画像のブレを補正することを特徴としている。


【手続補正６】
【補正対象書類名】明細書
【補正対象項目名】００２５
【補正方法】変更
【補正の内容】
【００２５】
請求項６の発明の防振機能を有したズームレンズは、物体側より順に変倍の際に固定の正の屈折力の第１群、変倍用の負の屈折力の第２群、変倍に伴う像面変動を補正する第３群、そして変倍時に固定の正の屈折力の第４群を有するズームレンズであって、該第４群は負の屈折力の第４Ｆ群と正の屈折力の第４Ｒ群を有し、該第４Ｆ群は負レンズと正レンズの２つのレンズ又は負レンズと正レンズ、そして負レンズの３つのレンズより成り、該第４Ｆ群を光軸と垂直方向に移動させて、ズームレンズが振動したときの撮影画像のブレを補正していることを特徴としている。


【手続補正７】
【補正対象書類名】明細書
【補正対象項目名】００２６
【補正方法】変更
【補正の内容】
【００２６】
請求項７の発明は請求項６の発明において、前記第４Ｆ群を構成する最も物体側のレンズ面への入射換算傾角をα、前記第４Ｆ群を構成する最も像側のレンズ面からの出射換算傾角をα′、前記第４Ｆ群を構成する負レンズの材質のアッベ数の平均値をνｎ（４Ｓ）、前記第４Ｆ群を構成する正レンズの材質のアッベ数をνｐ（４Ｓ）、前記第４Ｒ群を構成する正レンズの材質のアッベ数の平均をνｐ（４Ｒ）、負レンズの材質のアッベ数の平均値をνｎ（４Ｒ）としたとき、
α′−α＜−０．４５    ‥‥‥（１）
νｎ（４Ｓ）−νｐ（４Ｓ）＞１０    ‥‥‥（２）
νｐ（４Ｒ）−νｎ（４Ｒ）＞１０    ‥‥‥（３）
なる条件式を満たすことを特徴としている。
請求項８の発明のテレビカメラは、請求項１〜７のいずれか１項のズームレンズを備えたことを特徴としている。
【手続補正８】
【補正対象書類名】明細書
【補正対象項目名】０１００
【補正方法】変更
【補正の内容】
【０１００】
【発明の効果】
本発明によれば以上のように、光学系の一部のレンズ群を光軸と垂直な方向に偏心駆動させて撮影画像のブレを補正する際、各レンズ要素を適切に配置することによって、特に防振レンズ群の小型化を可能とし、各種の収差及び偏心収差を良好に補正した、いわゆる４群ズームレンズに好適な防振機能を有したズームレンズ及びそれを有するテレビカメラを達成することができる。